(57)【特許請求の範囲】
【請求項１】
データネットワーク（２）に接続されたデータサーバ（１）と無線ネットワーク（４）を介してつながっているモバイル端末機器（４１４，４１５，４１６）にデータセットを送信する方法であって、当該方法を用いることで、データセットが無線ネットワーク（４）を通じて当該無線ネットワーク（４）の無線セル（４１）内に存在する端末機器（４１４，４１５，４１６）に宛ててブロードキャスト信号として、或いは選択的に、一又は複数の端末機器（４１４，４１５，４１６）宛てに個別に用意された個別信号として送信可能であり、無線セル（４１）内に発信される全体信号が、相応のブロードキャスト信号部分（４１２）と、相応の個別信号部分（４１３）とを含んでおり、同じ周波数チャンネル内の異なる時間帯にブロードキャスト信号及び個別信号が送信される時分割多重法によりデータ送信が行われ、
ａ）無線セル（４１）内に存在する端末機器（４１４，４１５，４１６）をデータサーバ（１）により識別し、
ｂ）無線セル（４１）内の識別された端末機器（４１４，４１５，４１６）から要求されたデータ要求に基づいて、個別信号の送信のために必要となる全体信号の時間帯以外の、ブロードキャスト信号の送信に利用できる全体信号の時間帯として、全体信号に対する好適なブロードキャスト信号部分因子をデータサーバ（１）により求め、
ｃ）全体信号のブロードキャスト信号部分（４１２）においては、データセットの第一の部分を、全体信号の個別信号部分（４１３）においては、データセットの第二の部分を、データサーバ（１）から端末機器（４１４，４１５，４１６）に宛てて送信し、このとき、端末機器（４１４，４１５，４１６）に宛てて送信される全体信号のブロードキャスト信号部分（４１２）を、求められた好適なブロードキャスト信号部分因子に基づいて決定する
ステップを有する方法において、
無線セル（４１）内で識別された端末機器（４１４，４１５，４１６）にそれぞれユーザプロファイルが割り当てられており、利用可能な全送信容量を超えたときに、個別信号部分においてデータセットのコンテンツが提供されるはずの一部の端末機器について、強制的にブロードキャスト信号部分によってコンテンツが配信され、ブロードキャスト信号部分（４１２）において送信されるデータセットのコンテンツは、ユーザプロファイル内に格納された情報に従って構成されることを特徴とする方法。
【請求項２】
請求項１に記載の方法において、ユーザプロファイルは、データサーバ（１）がデータネットワーク（２）を通じて取得することを特徴とする方法。
【請求項３】
請求項１に記載の方法において、ユーザプロファイルは、データサーバ（１）が作成することを特徴とする方法。
【請求項４】
請求項１から３のいずれか一項に記載の方法において、無線セル（４１）内に存在する端末機器（４１４，４１５，４１６）は、無線ネットワーク（４）とは独立した認識システム（５）により認識され、この認識システムによって、無線セル（４１）内に存在する端末機器（４１４，４１５，４１６）についての識別情報がデータサーバ（１）に送信されることで、無線セル（４１）内に存在する端末機器（４１４，４１５，４１６）がデータサーバにより識別可能とされていることを特徴とする方法。
【発明の詳細な説明】
【技術分野】
【０００１】
本発明は、データネットワークに接続されたデータサーバと無線ネットワークを介してつながっているモバイル端末機器にデータセットを送信する方法に関し、当該方法を用いることで、データセットが無線ネットワークを通じて当該無線ネットワークの無線セル内に存在する端末機器に宛ててブロードキャスト信号として、或いは選択的に、一又は複数の端末機器宛てに個別に用意された個別信号として送信可能であり、
無線セル内に発信される全体信号が、相応のブロードキャスト信号部分と、相応の個別信号部分とを含んでおり、
ａ）無線セル内に存在する端末機器をデータサーバにより識別し、
ｂ）無線セル内の識別された端末機器から要求されたデータ要求（Ｄａｔｅｎｂｅｄａｒｆ）に基づいて、全体信号に対する好適なブロードキャスト信号部分因子をデータサーバにより求め、
ｃ）全体信号のブロードキャスト信号部分においては、データセットの第一の部分を、全体信号の個別信号部分においては、データセットの第二の部分を、データサーバから端末機器に宛てて送信し、このとき、端末機器に宛てて送信される全体信号のブロードキャスト信号部分を、求められた好適なブロードキャスト信号部分因子に基づいて決定する
ステップを有する。
【背景技術】
【０００２】
この種の方法が特許文献１より公知である。
【０００３】
公知の方法では、データサーバは、ＥＭＢＭＳプロトコル（Ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ−Ｐｒｏｔｏｋｏｌｌ）を用いることで、例えばスマートフォンやラップトップといったようなモバイル端末機器に、ＬＴＥネットワーク（ロング・ターム・エボリューション（Ｌｏｎｇ  Ｔｅｒｍ  Ｅｖｏｌｕｔｉｏｎ）ネットワーク）を通じてデータセットを送信する。ＥＭＢＭＳでは、同じ周波数チャンネル内であっても異なる時間帯（Ｚｅｉｔａｂｓｃｈｎｉｔｔ）にブロードキャスト信号及びユニキャスト信号が送信される時分割多重法（Ｚｅｉｔ−Ｍｕｌｔｉｐｌｅｘ−Ｖｅｒｆａｈｒｅｎ）によりデータ送信が行われる。
【０００４】
公知の方法では、ＥＭＢＭＳプロトコルを用いることにより、ブロードキャスト信号部分とユニキャスト信号部分とから構成された全体信号によって、ＬＴＥネットワークの基地局とつながった端末機器に宛ててデータセットが送信される。この目的のために、データサーバは、発信された全体信号に対する好適なブロードキャスト信号部分因子を求める。ブロードキャスト信号部分因子とは、本明細書中、ブロードキャスト信号としてデータセットを送るのにちょうどうまく利用できる全体信号における時間部分を意味する。そのためには、通常、個別信号として送らざるを得ないデータセットを送るのに必要とはされない部分が特定される。公知の方法では、データサーバは、好適なブロードキャスト信号部分因子を求めるために、端末機器から要求されたコンテンツを考慮に入れ、さらに、ブロードキャストを通じて送信可能な同一のコンテンツを幾つの端末機器が要求したかということを特に考慮に入れる。同一のコンテンツを全体信号のブロードキャスト信号部分によって送信することで、関係する端末機器は、ユニキャスト信号部分によってそれ以上配信されなくてもよくなり、これにより、限定的にしか使えない基地局の送信容量を全体で効率的に使用できるようになる。データサーバは、求められた好適なブロードキャスト信号部分因子に基づいて、全体信号におけるブロードキャスト信号部分の配分を調整する――つまり、データサーバは、周波数チャンネル内で送信に適切な時間帯をブロードキャスト信号部分に割り当てる。
【０００５】
周知のように、ブロードキャスト伝送の場合は、或る決まった時点に然るべき端末機器に宛てて若干の共通のコンテンツを一斉に伝送することができるだけであるのに対して、ユニキャスト伝送を使うときには、異なるコンテンツを異なる端末機器に宛てて送信することができる。このため、公知の方法は、複数の端末機器から一斉に多数の異なるコンテンツが要求される状況では特に、かなりの制約を受けている。そのような場面では、伝送対象コンテンツのうち少ししか同じでないなので、それなりに僅かな分量しか全体信号のブロードキャスト信号部分によって伝送できないことにもなる。従って、複数のコンテンツは、否が応でもユニキャスト信号部分で伝送せざるを得ないが、無線ネットワークの全送信容量が限定的にしか使えないために、それを保証できないことが多い。ユニキャスト信号部分によってコンテンツが提供された方が理想的であろう一部の端末機器は、利用可能な全送信容量を超えたときには、強制的に全体信号のブロードキャスト信号部分によっても配信されることが避けられない。そのことによって、これらの端末機器のユーザが、場合によっては、自分に関心のないコンテンツの提供を受けてしまう。
【０００６】
また、特許文献１より、好適なブロードキャスト信号因子を求める際に、無線ネットワークの基地局とつながった端末機器の全体数も考慮されることが公知である。この方法によれば、例えば、必ずといっていいほど全送信容量をオーバーしてしまう無線ネットワークの無線セルであって、それが故にブロードキャスト信号部分によって端末機器のサービス提供を行なうことが特に重要な無線ネットワークの無線セルを特定することができる。しかしながら、この方法によっても、ブロードキャスト信号部分によって送信されるコンテンツを関係ユーザの興味に合せて調整することはやはり不可能である。
【先行技術文献】
【特許文献】
【０００７】
【特許文献１】米国特許出願公開第２０１３／００５１３３１号公報
【発明の概要】
【発明が解決しようとする課題】
【０００８】
本発明の課題は、従来と同じ類の方法をさらに発展させて、ブロードキャスト信号部分によって送信されるコンテンツを端末機器の各々のユーザの興味にもっと合わせたものにすることにある。
【課題を解決するための手段】
【０００９】
この課題は、請求項１の上位概念の特徴との関連において、無線セル内で識別された端末機器にそれぞれユーザプロファイルが割り当てられており、ブロードキャスト信号部分において送信されるデータセットのコンテンツが、ユーザプロファイル内に格納された情報に従って構成されることで解決される。
【００１０】
好適な実施形態は、従属請求項の対象である。
【００１１】
本発明による方法は、これにより、ブロードキャスト信号部分によって送信されるコンテンツをユーザプロファイル内に格納された情報に基づいて可変に構成することができる。こうして、従来技術により公知の方法に比べ、より多くの人数のユーザに、ブロードキャスト信号部分を介して、ユーザにとって重要なコンテンツを提供することができる。このために、データサーバは、無線ネットワークの無線セル内に存在する端末機器を例えばＩＰアドレスにより識別し、全体信号のブロードキャスト信号部分によって送信されるコンテンツを各ユーザの興味に合せて構成する。これにより、全てのユーザが、特に、無線ネットワークの全送信容量が十分には使えない場合であっても、自分の興味に合ったコンテンツを利用することができる。データサーバは、このとき、スマートフォンやラップトップといったような無線セル内で識別された端末機器に割り当てられたユーザプロファイルを様々な仕方で取得することができる。
【００１２】
本発明による方法の代替的な実施形態の場合、ユーザプロファイルは、接続されたデータネットワークを通じてデータサーバが取得するようになっている。つまり、データサーバは、例えば、フェイスブック（Ｆａｃｅｂｏｏｋ）、グーグル（ｇｏｏｇｌｅ）或いはラスト・エフエム（ｌａｓｔ．ｆｍ）を例とするような第三者プロバイダのインターネットを通じてユーザプロファイルを取得する。データサーバは、このために必要とされるアクセスデータを例えばユニキャスト信号によって端末機器から呼び出すことができる。これに関して、アクセスデータは、例えばユーザによって端末機器に予め入力されていてもよいし、或いはそうでないなら端末機器内に保存されたものとされていてもよい。もちろん、データネットワークを通じて一度取得されたユーザプロファイルは、将来の利用のためにデータサーバが保存することもできる。
【００１３】
本発明による方法の好適な実施形態の場合、ユーザプロファイルは、データサーバが作成するようになっている。これにより、ユーザのアクセスデータを完全に省くことができる。データサーバは、例えば、データサーバにとって既知のＩＰアドレスとそれぞれの端末機器から要求されたコンテンツとにより、各端末機器に対応させて割り当てられたユーザプロファイルを作成することができる。
【００１４】
本発明による方法の他の好適な実施形態では、無線セル内に存在する端末機器は、無線ネットワークとは独立した認識システムにより認識され、この認識システムによって、無線セル内に存在する端末機器についての識別情報がデータサーバに送信され、これにより、無線セル内に存在する端末機器がデータサーバにより識別可能となる。この実施形態は、無線セル内に存在する全ての端末機器をそのＩＰアドレスにより識別できるようにするためには無線セルの送信容量がもはや十分ではないときに特に有利である。そのような場合、例えば、この種の無線セル内に新たに進入してきた自動車（自動車内に実現されたフェムトセルないしそれにより接続された端末機器を表すもの）は、有利な方法において無線ネットワークとは独立したＧＰＳシステムにより識別することができ、続いてＧＰＳシステムが無線セル内への自動車の進入についてデータサーバに通知する。このようにして、データサーバにより自動車を識別することができ、適正に割り当てられたユーザプロファイルは、ブロードキャスト信号部分によって無線セル内に送信されるコンテンツを構成する際に然るべく考慮することができる。
【００１５】
本発明の他の特徴と長所は、以下の詳細な説明と図面とから明らかになる。
【図面の簡単な説明】
【００１６】
【図１】本発明による方法の実施形態を表す図である。
【発明を実施するための形態】
【００１７】
図１は、本発明による方法の実施形態を表す図である。図１にデータサーバ１が看取できる。このデータサーバ１は、ブロードキャスト・マルチキャスト・サービス・センタ（Ｂｒｏａｄｃａｓｔ−Ｍｕｌｔｉｃａｓｔ−Ｓｅｒｖｉｃｅ−Ｃｅｎｔｅｒ）（ＢＭ−ＳＣ）１１とコンテンツサーバ１２とから構成されている。ここで、コンテンツサーバ１２は、データネットワーク２に接続されており、このデータネットワークを通じてコンテンツサーバ１２が第三者プロバイダ２１とつながっている。さらに、ＢＭ−ＳＣ１１は、無線セル４１の基地局４１１を介して、ブロードキャスト信号部分４１２と個別信号部分４１３とから構成された全体信号を無線セル４１内に発信し、全体信号は、ＥＭＢＭＳ（ｅｖｏｌｖｅｄ  ｍｕｌｔｉｍｅｄｉａ  ｂｒｏａｄｃａｓｔ  ｍｕｌｔｉｃａｓｔ  Ｓｅｒｖｉｃｅ）プロトコルを用いることで生成されていることが図１に示されている。このとき、全体信号のブロードキャスト信号部分４１２は、端末機器４１４，４１５に宛てて送信され、個別信号部分４１３は、端末機器４１６に宛てて送信される。個別信号部分４１３は、図１に示された実施例では、ユニキャスト信号部分とされている。図１ではこの他に、識別システム５が、ＬＴＥ無線ネットワーク４の無線セル４１内の端末機器４１４，４１５，４１６をＧＰＳ信号５１，５２，５２により識別し、コンテンツサーバ１２に宛てて識別情報を送信することが示されている。コンテンツサーバ１２は、識別情報により端末機器４１４，４１５，４１６を識別し、無線セル４１内にいることを認識する。コンテンツサーバ１２は、端末機器４１４，４１５，４１６に割り当てられた第三者プロバイダ２１によるユーザプロファイルを取得する。図１に示された実施例において、コンテンツサーバは、ユーザプロファイル内に格納された情報に基づいて、端末機器４１４，４１５に割り当てられたユーザが似通った音楽の好みを持っていることを確認し、ＢＭ−ＳＣ１１と調整し合いながら（全体信号のユニキャスト信号部分４１３においてのみ伝送することができるＥメールデータセットを端末機器４１６が要求したことが、ＢＭ−ＳＣ１１には基地局４４１を介して分かっている。）、好適なブロードキャスト信号部分因子を割り出す。図１に示された実施例において、コンテンツサーバ１２とＢＭ−ＳＣ１１とは、Ｅメールデータセットの送信のために必ず必要になる時間帯以外の、ブロードキャスト伝送に使える全体信号の時間帯をブロードキャスト信号部分因子として決定する。それに応じてコンテンツサーバ１２は、コンテンツが端末機器４１４，４１５のユーザの音楽の好みに適っており且つ割り出された利用可能な時間帯内で端末機器４１４，４１５宛てに伝送することのできる音楽データセットを構成する。コンテンツサーバ１２は、構成されたデータセットをＢＭ−ＳＣ１１に伝送し、ＢＭ−ＳＣ１１は、ブロードキャスト伝送にまだ使える時間帯によって決まる、全体信号のブロードキャスト信号部分４１２において、当該データセットを端末機器４１４，４１５に宛てて送信する。同時に、ＢＭ−ＳＣ１１は、同じように、全体信号の個別信号部分４１３において、コンテンツサーバ１２から前もって伝送さ���ているＥメールデータセットを端末機器４１６に送信する。
【００１８】
もちろん、特化した記載で検討され且つ図示された実施形態は、本発明の説明的な実施例を表しているに過ぎない。当業者には、ここに開示された内容の示唆に基づいて、裁量により幅広く変更を行うことができる。例えば、全体信号の個別信号部分は、必ずしもユニキャスト信号部分であるとは限らない。むしろ、一ないし複数の端末機器に特別に宛てられる任意の個別信号がこれに対して使用できる。つまり、個別信号部分は、特にマルチキャスト信号部分であってもよく、このマルチキャスト信号部分によって、端末機器の特定のグループが、それらのＩＰアドレスにより配信を受け、幾つかの共通のコンテンツが一斉に提供されるのでもよい。本発明による方法は、様々なイベントを開始の契機にすることができ、例えば、入ってくる要求に基づいて無線交信量（トラフィック負荷）が実際に増加することを検出することができる。あるいはまた、第三者プロバイダのコンテキスト情報（Ｋｏｎｔｅｘｔｉｎｆｏｒｍａｔｉｏｎ）から（例えば渋滞の報告から）導出されるか或いは実際に検知されるかした、モバイル機器密度の高さに基づいてトラフィック負荷が高いことを予見することも可能である。また、この種のモバイル機器密度は、過去のデータから予見することもできる。
【符号の説明】
【００１９】
１      データサーバ
２      データネットワーク
４      無線ネットワーク
５      認識システム
１１    ＢＭ−ＳＣ
１２    コンテンツサーバ
２１    第三者プロバイダ
４１    無線セル
５１，５２，５３  ＧＰＳ信号
４１１  基地局
４１２  ブロードキャスト信号部分
４１３  個別信号部分
４１４，４１５，４１６  端末機器
【図１】
0006541782.tif 000002